(57)【要約】【課題】敷設場所の広さに合わせて手軽に敷設することができ、運搬が容易な人工芝ユニットを提供する。【解決手段】人工芝ユニット１００は、可撓性を有するシート３０と、同一形状の複数の人工芝１０，２０とを備え、各人工芝１０，２０は、シート３０の一方の面上に整列配置されるとともに、隣接するそれぞれの端縁１１，２１が、折り目となる隙間ＧＡを介して対向するように、シート３０の一方の面に接合されてなる。【選択図】図１
2019090236.tif 000002
【特許請求の範囲】
【請求項１】
可撓性を有するシートと、同一形状の複数の人工芝とを備え、各人工芝は、前記シートの一方の面上に整列配置されるとともに、隣接するそれぞれの端縁が、折り目となる隙間を介して対向するように、前記シートの一方の面に接合されてなる人工芝ユニット。
【請求項２】
前記シートは、前記隙間の位置で他方の面が重なり合うまで折り返しが可能である請求項１に記載の人工芝ユニット。
【請求項３】
前記シートは、外周に前記人工芝が配置されていない領域を有する請求項１または２に記載の人工芝ユニット。
【請求項４】
前記シートは、透水性と通気性と遮光性と耐圧性との少なくとも一つを有する請求項１から３のいずれかに記載の人工芝ユニット。
【請求項５】
前記シートは、織布と不織布とのいずれかである請求項１から４のいずれかに記載の人工芝ユニット。
【請求項６】
前記人工芝は、平面形状が矩形状であり、隣接するそれぞれの端縁が、折り目となる直線状の隙間を介して対向している請求項１に記載の人工芝ユニット。
【請求項７】
一方の面に芝葉が植設される可撓性を有する基層を有し、前記基層は、芝葉の植設領域を二分する折り目を備えており、前記折り目は、前記基層を貫通する複数の貫通孔を直線状に連ねて構成されている人工芝ユニット。
【請求項８】
前記基層は、前記折り目の位置で他方の面が重なり合うまで折り返しが可能である請求項７に記載の人工芝ユニット。
【請求項９】
前記基層は、平面形状が矩形状であり、芝葉の植設領域を等分する折り目を備えている請求項７または８に記載の人工芝ユニット。
【発明の詳細な説明】
【技術分野】
【０００１】
本発明は、人工芝ユニットに関し、より詳細には、敷設場所の広さに合わせて手軽に敷設することができ、運搬が容易な人工芝ユニットに関する。
【背景技術】
【０００２】
自宅の庭や玄関脇等の地面が露出する空間は、そのままに放置しておくと雑草が生い茂る。雑草が生えると見栄えが悪くなることから、見栄えを向上させるための様々な手法がとられている。
【０００３】
例えば、真砂土等の地面をコンクリートやモルタル、砕石、砂利等で覆うことが考えられる。しかしながら、雑草の生い茂りを防止することはできても、コンクリートや砕石の地面は見た目が無機質であり見栄えが悪い。また例えば、地面を天然芝で覆うことが考えられる。しかしながら、天然芝は見栄えが良く緑化には良いが、手入れが大変である。
【０００４】
近年では、天然芝の見た目に似せた、自然な風合いを有する高品質な人工芝が開発されている。そこで、自宅の庭や玄関脇等の地面が露出する空間の見栄えを、手入れに手間をかけずに向上させることを目的として、このような高品質な人工芝を敷設したいという需要が高まっている。
【０００５】
自然な風合いを有する人工芝としては、下記特許文献１または２に記載の人工芝が知られている。
【０００６】
既製の人工芝は、概ね１０ｍ〜２０ｍの長さで、例えば９１ｃｍ、１８２ｃｍまたは３６４ｃｍ等の規格巾で製造されている。製造元からは、このような寸法の人工芝が、ロール状に巻き取られた状態で提供されている。人工芝の敷設業者は、このようなロール状の人工芝を、テニスコートや園庭等の敷設現場に輸送して、人工芝の敷設作業を行っている。
【先行技術文献】
【特許文献】
【０００７】
【特許文献１】特開２００７−１９８０９４号公報
【特許文献２】特開２００８−１８４８６０号公報
【発明の概要】
【発明が解決しようとする課題】
【０００８】
ロール状の人工芝は大きくて重く、作業員が乗り込む普通車ワンボックスカーの荷室に載せ込むことができる寸法ではない。このような事情から、ロール状の人工芝の敷設現場への輸送には、別途、輸送用の車両を手配する必要があった。
【０００９】
しかしながら、顧客からの注文により、自宅の庭や玄関脇等の比較的狭い空間に人工芝を敷設する場合には、敷設する人工芝の面積が比較的小面積であるにもかかわらず、大きくて重いロール状の人工芝を、別途車両を手配して運搬する必要があり、施工費用の増額を招いていた。
【００１０】
また、家主が自身でロール状の人工芝を購入し、自宅の庭や玄関脇等の比較的狭い空間に、家主が自身で人工芝を敷設しようとしても、手軽に敷設することはできなかった。ロール状の人工芝は、規格巾の寸法およびロール長が長く、個人での敷設には不向きであり、ロール状の人工芝の敷設には、敷設面の平坦化処理、敷設面への防草シートの敷設、仮敷き後の人工芝のシワやふくれ（浮かび上がり）の除去、敷き詰めた人工芝間の継ぎ目処理、および人工芝端部の切断等、職人の手作業による施工工程が多く必要とされるからである。
【００１１】
近年開発および販売されている、自然な風合いを有する高品質な人工芝についても、事情は同じである。すなわち、製造元からは、規格巾の寸法で製造された人工芝がロール状に巻き取られた状態で提供されており、このような高品質な人工芝を家主が自身で購入して敷設しようとしても、手軽に敷設することはできなかった。
【００１２】
本発明は、上記課題を解決するためになされたものであり、その目的は、敷設場所の広さに合わせて手軽に敷設することができ、運搬が容易な人工芝ユニットを提供することにある。
【課題を解決するための手段】
【００１３】
本発明の第１の態様に係る人工芝ユニットは、可撓性を有するシートと、同一形状の複数の人工芝とを備え、各人工芝は、シートの一方の面上に整列配置されるとともに、隣接するそれぞれの端縁が、折り目となる隙間を介して対向するように、シートの一方の面に接合されてなる。
【００１４】
本発明の第１の態様に係る人工芝ユニットによると、折り目に沿って折りたたむことが可能となり、敷設現場への運搬が容易となる。また、荷室において占有する面積も低下するので、普通車ワンボックスカー等の従来よりも小型な車両によっても運搬が可能となる。運搬が手軽になることで、家主が自身で人工芝ユニットを敷設現場へ搬入することが可能となり、家主が自身で手軽に、自宅の庭や玄関脇等の地面が露出する空間の見栄えを向上させることが可能となる。シートは、人工芝の地面に接する側の面上に予め接合されており、ロール状の人工芝を敷設する前工程として行っていた、敷設面への防草シートの敷設工程を省くことが可能となり、敷設場所へ手軽に敷設することが可能となる。
【００１５】
好ましくは、シートは、隙間の位置で他方の面が重なり合うまで折り返しが可能である。これにより、人工芝ユニットはかさ高が低くなり面積も略半分となり、敷設現場への運搬が一層容易となる。
【００１６】
好ましくは、シートは、外周に人工芝が配置されていない領域を有する。このような、外周に人工芝が配置されていない領域が、互いに重なり合うように配置されることにより、真砂土等の地面が露出する領域が低減され、雑草の発育が阻止される。
【００１７】
好ましくは、シートは、透水性と通気性と遮光性と耐圧性との少なくとも一つを有する。シートは、透水性または通気性を備えることにより、雨や雪等の水分を地面に浸透させ、水溜まりの発生を防止することができる。さらに、シートは、遮光性または耐圧性を備えることにより、真砂土等の地面に生える雑草の発育を阻止する防草シートして機能する。ここで、シートの耐圧性とは、具体的には、雑草等の植物の成長に伴う圧力に抗して成長を抑止する能力を意味する。
【００１８】
好ましくは、シートは、織布と不織布とのいずれかである。
【００１９】
好ましくは、人工芝は、平面形状が矩形状であり、隣接するそれぞれの端縁が、折り目となる直線状の隙間を介して対向している。
【００２０】
本発明の第２の態様に係る人工芝ユニットは、一方の面に芝葉が植設される可撓性を有する基層を有し、基層は、芝葉の植設領域を二分する折り目を備えており、折り目は、基層を貫通する複数の貫通孔を直線状に連ねて構成されている。
【００２１】
本発明の第２の態様に係る人工芝ユニットによると、折り目に沿って折りたたむことが可能となり、敷設現場への運搬が容易となる。また、荷室において占有する面積も低下するので、普通車ワンボックスカー等の従来よりも小型な車両によっても運搬が可能となる。運搬が手軽になることで、家主が自身で人工芝ユニットを敷設現場へ搬入することが可能となり、家主が自身で手軽に、自宅の庭や玄関脇等の地面が露出する空間の見栄えを向上させることが可能となる。
【００２２】
好ましくは、基層は、折り目の位置で他方の面が重なり合うまで折り返しが可能である。これにより、人工芝ユニットはかさ高が低くなり面積も略半分となり、敷設現場への運搬が一層容易となる。
【００２３】
好ましくは、基層は、平面形状が矩形状であり、芝葉の植設領域を等分する折り目を備えている。
【発明の効果】
【００２４】
本発明によると、敷設場所の広さに合わせて手軽に敷設することができ、運搬が容易な人工芝ユニットを提供することができる。
【図面の簡単な説明】
【００２５】
【図１】第１の実施形態に係る人工芝ユニットを模式的に表した図であり、（ａ）が平面図、（ｂ）が側面図である。
【図２】第１の実施形態に係る人工芝ユニットに用いる人工芝を模式的に拡大して表した側面図である。
【図３】第１の実施形態に係る人工芝ユニットを折り返した状態を模式的に表した側面図である。
【図４】第１の実施形態に係る２枚の人工芝ユニットを用いて地面上に敷設した状態を模式的に表した図であり、（ａ）が平面図、（ｂ）が（ａ）のＢ−Ｂ′線に沿う断面図である。
【図５】第２の実施形態に係る人工芝ユニットを模式的に表した図であり、（ａ）が平面図、（ｂ）が（ａ）のＤ−Ｄ′線に沿う断面図、（ｃ）が底面図である。
【図６】第２の実施形態に係る人工芝ユニットを折り返した状態を模式的に表した側面図である。
【発明を実施するための形態】
【００２６】
以下、本発明の実施の形態を、添付の図面を参照して詳細に説明する。なお、以下の説明および図面において、同じ符号は同じまたは類似の構成要素を示すこととし、よって、同じまたは類似の構成要素に関する重複した説明を省略する。
【００２７】
［第１の実施形態］
図１は、第１の実施形態に係る人工芝ユニット１００を模式的に表した図である。
【００２８】
図１（ａ）（ｂ）に示すように、本発明の第１の実施形態に係る人工芝ユニット１００は、可撓性を有するシート３０と、平面形状が同一矩形状の複数の人工芝１０，２０とを備えている。
【００２９】
各人工芝１０，２０は、一枚のシート３０の一方の面（表側）上に、図１（ａ）中のＡ−Ａ′仮想線に沿って示す隙間ＧＡを空けて整列配置されている。各人工芝１０，２０は、隣接するそれぞれの端縁１１，２１が、シート３０の折り目となる隙間ＧＡを介して対向するように、シート３０の一方の面上に接合されている。接合の態様としては、例えば接着剤による接着が好ましい。以下の説明では、一枚のシート３０の領域全体のうち、一方の人工芝１０が接合されている領域を、符号を付してシート３１と記載し、他方の人工芝２０が接合されている領域を、符号を付してシート３２と記載する。
【００３０】
好ましくは、各人工芝１０，２０は、平面形状が矩形状であり、隣接するそれぞれの端縁１１，２１が、シート３０の折り目となる直線状の隙間ＧＡを介して対向している。より好ましくは、各人工芝１０，２０は、平面形状が正方形であり、少なくとも一組の向かい合う辺の長さが、規格巾の１／ｎ（ｎは正の整数）の長さである。例示的な規格巾は、９１ｃｍ、１８２ｃｍおよび３６４ｃｍであり、好ましくは、平面形状が正方形の場合の人工芝１０，２０の一辺の長さは、約４５．５ｃｍ（ｎ＝２）または約３０ｃｍ（ｎ＝３）である。別の例示的な規格巾は、１００ｃｍ、２００ｃｍ、３００ｃｍおよび４００ｃｍであり、好ましくは、平面形状が正方形の場合の人工芝１０，２０の一辺の長さは、約５０ｃｍ（ｎ＝２）または約３３ｃｍ（ｎ＝３）である。
【００３１】
一枚のシート３０の縦横の寸法は、複数の人工芝１０，２０を整列配置した縦横の寸法よりもひとまわり大きく、シート３０は、人工芝１０，２０が配置されていない領域３３，３４を外周に有する。図１に示す例では、人工芝１０，２０が配置されていない領域３３，３４は、シート３０の外周全体にわたって設けられている。例示的には、領域３３，３４の幅は約５ｍｍである。
【００３２】
シート３０は、可撓性を有する織布または不織布のいずれかであり、透水性と、通気性と、遮光性と、耐圧性との少なくとも１つを有する。好ましくは、シート３０は、透水性、通気性、遮光性および耐圧性を備えており、不織布で形成されている。シート３０は、透水性または通気性を備えることにより、雨や雪等の水分を地面に浸透させ、水溜まりの発生を防止する。さらに、シート３０は、遮光性または耐圧性を備えることにより、真砂土等の地面に生える雑草の発育を阻止する防草シートして機能する。例示的には、シート３０には、ポリエステル製の長繊維不織布（製造者：東レ株式会社、製品名：東レアクスター（登録商標）・マントル）を使用する。例示的には、シート３０の寸法は、外周全体にわたって設けられている人工芝１０，２０が配置されていない領域３３，３４を含み、規格巾が９１ｃｍの場合、約４６．５ｃｍ×約９２ｃｍ（ｎ＝２）または約３１ｃｍ×約６１ｃｍ（ｎ＝３）である。
【００３３】
図２は、第１の実施形態に係る人工芝ユニット１００の人工芝１０，２０に用いられる人工芝を模式的に表した側面図である。
【００３４】
図２に示す人工芝１０，２０は、芝葉（パイル）１と、基層２と、合成樹脂、合成ゴム等よりなる層（以下、「樹脂層」と総称する。）３とを備えている。芝葉１は、植設部分が基層２の裏側へ貫通し、表出部分が基層２の表側に突出するように植設されている。樹脂層３は、基層２の裏側に貫通する芝葉１の植設部分を、基層２の裏側から固定している。例示的には、人工芝１０，２０には、ワールド敷物加工株式会社製の人工芝（品番：リアルＨＫ２５）を使用するが、使用する人工芝はこれに限定されず、種々の既製の人工芝を使用することができる。
【００３５】
図３は、第１の実施形態に係る人工芝ユニット１００を折り返した状態を模式的に表した側面図である。
【００３６】
人工芝ユニット１００は、シート３０が複数の人工芝１０，２０間の隙間ＧＡの位置で折り返しが可能である。好ましくは、図３に示すように、人工芝ユニット１００は、一方の人工芝１０に対応するシート３１の裏面と、他方の人工芝２０に対応するシート３２の裏面とが重なり合うまで折り返しが可能である。複数の人工芝１０，２０の隣接しているそれぞれの端縁１１，２１は、人工芝ユニット１００が隙間ＧＡの位置で折り返されることにより露出する。
【００３７】
シート３１とシート３２とが重なり合うまで折り返しが可能であることにより、人工芝ユニット１００のかさ高が低くなり平面視の占有面積も略半分となる。これにより、敷設現場への運搬が容易となる。また、荷室において占有する面積も低下するので、普通車ワンボックスカー等の従来よりも小型な車両によっても運搬が可能となる。
【００３８】
図４は、第１の実施形態に係る２枚の人工芝ユニット１００を用いて地面上に敷設した状態を模式的に表した図である。人工芝ユニット１００の敷設場所は、例えば真砂土等の土または砂で覆われた地面である。
【００３９】
以下の説明では、２枚の人工芝ユニット１００について、図中左側と右側とで異なる符号を付して記載する。すなわち、図中左側に位置する人工芝ユニット１００を、符号を付して人工芝ユニット１００Ｌと記載し、図中右側に位置する人工芝ユニット１００を、符号を付して人工芝ユニット１００Ｒと記載する。
【００４０】
人工芝ユニット１００は、敷設現場の面積に合わせて複数枚が繋ぎ合わされる。図４に示す例では、図中左右に２つの人工芝ユニット１００Ｌ，１００Ｒが配置されている。図中左側の、一方の人工芝ユニット１００Ｌが、一枚のシート３０Ｌ（３３Ｌ，３４Ｌ）と２個の人工芝１０Ｌ，２０Ｌとを備えており、図中右側の、他方の人工芝ユニット１００Ｒが、一枚のシート３０Ｒ（３３Ｒ，３４Ｒ）と２個の人工芝１０Ｒ，２０Ｒとを備えている。
【００４１】
２つの人工芝ユニット１００Ｌ，１００Ｒを配置する際には、一方の人工芝ユニット１００Ｌのシート３０Ｌの外周部分の領域３３Ｌ，３４Ｌと、他方の人工芝ユニット１００Ｒのシート３０Ｒの外周部分の領域３３Ｒ，３４Ｒとが互いに重なり合うように配置する。これにより、真砂土等の地面が露出する領域を覆い、雑草の発育を阻止する。２つの人工芝ユニット１００Ｌ，１００Ｒの継ぎ目には、継ぎ目を跨ぐようにＵ字状の釘９０（ステープルとも呼ぶ）を打設して、人工芝ユニット１００Ｌ，１００Ｒを地面ＧＮＤに固定する。Ｕ字状の釘９０は、シート３０Ｌ，３０Ｒの外周部分の重なり合う領域３３Ｌ，３４Ｌ，３３Ｒ，３４Ｒに沿って複数が地面に打設される。
【００４２】
図４に示す例では、２つの人工芝ユニット１００Ｌ，１００Ｒを配置する態様を表しているが、３つ以上の人工芝ユニット１００を配置する場合も同様に、シート３０の外周部分の領域３３，３４が互いに重なり合うように配置する。
【００４３】
以上、本発明の第１の実施形態に係る人工芝ユニット１００は、敷設場所の広さに合わせて手軽に敷設することができ、運搬が容易である。シート３０（３１，３２）は裏側が重なり合うまで折り返しが可能であることにより、人工芝ユニット１００のかさ高が低くなり平面視の占有面積も略半分となる。これにより、敷設現場への運搬が容易となる。また、荷室において占有する面積も低下するので、普通車ワンボックスカー等の従来よりも小型な車両によっても運搬が可能となる。運搬が手軽になることで、家主が自身で人工芝ユニット１００を敷設現場へ搬入することも可能となる。これにより、家主が自身で手軽に、自宅の庭や玄関脇等の地面が露出する空間の見栄えを向上させることが可能となる。運搬が手軽になることから、例えばホームセンター等の小売店舗において、人工芝ユニット１００を商品として取り扱うことが可能となる。小売店舗において人工芝ユニット１００を販売する際には、人工芝ユニット１００をシュリンクフィルムでラップすることが好ましい。
【００４４】
シート３０は、人工芝１０，２０の樹脂層３に予め接合されている。これにより、ロール状の人工芝を敷設する前工程として行っていた、敷設面への防草シートの敷設工程を省くことができ、敷設場所へ手軽に敷設することができる。シート３０は防草シートとして機能し、雑草の発育を阻止することができる。
【００４５】
［第２の実施形態］
図５は、第２の実施形態に係る人工芝ユニット２００を模式的に表した図である。
【００４６】
図５を参照して説明する、第２の実施形態に係る人工芝ユニット２００における芝葉１、基層２、および樹脂層３は、第１の実施形態に係る人工芝ユニット１００における芝葉１、基層２、および樹脂層３と同様であり、以下では、第１の実施形態に係る人工芝ユニット１００との相違点について、芝葉１、基層２、および樹脂層３を説明する。
【００４７】
図５に示すように、第２の実施形態に係る人工芝ユニット２００は、一方の面（表側）に芝葉１が植設される可撓性を有する基層２を有している。基層２は、図５（ａ）中のＣ−Ｃ′仮想線に沿って示す、芝葉１の植設領域を二分する折り目Ｆを備えている。折り目Ｆは、基層２を貫通する複数の貫通孔４０を略直線状に連ねて構成されている。この人工芝ユニット２００は、基層２の裏側へ貫通する芝葉１の植設部分を、基層２の裏側から固定する樹脂層３を備えている。なお、樹脂層３は不可欠な構成ではない。
【００４８】
以下の説明では、一枚の人工芝ユニット２００について、図中の折り目Ｆの左側と右側とで異なる符号を付して記載する。すなわち、図中折り目Ｆの左側の領域に位置する芝葉１、基層２および樹脂層３を、符号を付して芝葉１Ｌ、基層２Ｌおよび樹脂層３Ｌとそれぞれ記載し、図中折り目Ｆの右側の領域に位置する芝葉１、基層２および樹脂層３を、符号を付して芝葉１Ｒ、基層２Ｒおよび樹脂層３Ｒとそれぞれ記載する。
【００４９】
好ましくは、基層２は、平面形状が矩形状であり、基層２が備える折り目Ｆは、芝葉１の植設領域を等分している。より好ましくは、基層２の短辺または長辺の長さは、規格巾の１／ｎ（ｎは正の整数）の長さである。例示的な規格巾は、９１ｃｍ、１８２ｃｍおよび３６４ｃｍであり、好ましくは、基層２の短辺の長さは約４５．５ｃｍ（ｎ＝２）または約３０ｃｍ（ｎ＝３）であり、長辺の長さは、約９１ｃｍ（ｎ＝２）または約６０ｃｍ（ｎ＝３）である。別の例示的な規格巾は、１００ｃｍ、２００ｃｍ、３００ｃｍおよび４００ｃｍであり、好ましくは、基層２の短辺の長さは約５０ｃｍ（ｎ＝２）または約３３ｃｍ（ｎ＝３）であり、長辺の長さは、約１００ｃｍ（ｎ＝２）または約６６ｃｍ（ｎ＝３）である。
【００５０】
人工芝ユニット２００が、基層２の裏側に樹脂層３を備える場合、複数の貫通孔４０は、基層２および樹脂層３を貫通しており、貫通孔４０が略直線状に連なって折り目Ｆを構成する。樹脂層３の平面形状および縦横の寸法は、基層２の平面形状および縦横の寸法と略同一である。
【００５１】
図６は、第２の実施形態に係る人工芝ユニット２００を折り返した状態を模式的に表した側面図である。
【００５２】
人工芝ユニット２００は、複数の貫通孔４０が連なって構成された折り目Ｆの位置で折り返しが可能である。好ましくは、図６に示すように、人工芝ユニット２００は、折り目Ｆの左側に位置していた樹脂層３Ｌの裏面と、折り目Ｆの右側に位置していた樹脂層３Ｒの裏面とが重なり合うまで折り返しが可能である。基層２および樹脂層３に複数の貫通孔４０が略直線状に連ねて形成されていることにより、貫通孔４０が形成されている部分の基層２および樹脂層３は、柔軟性が付与され、折り目Ｆとして機能する。
【００５３】
折り目Ｆの左側の樹脂層３Ｌと、折り目Ｆの右側の樹脂層３Ｒとが重なり合うまで折り返しが可能であることにより、人工芝ユニット２００のかさ高が低くなり平面視の占有面積も略半分となる。これにより、敷設現場への運搬が容易となる。また、荷室において占有する面積も低下するので、普通車ワンボックスカー等の従来よりも小型な車両によっても運搬が可能となる。
【００５４】
人工芝ユニット２００の敷設場所は、例えばコンクリートまたは砕石等で覆われた地面である。コンクリートや砕石の地面に人工芝ユニット２００を敷設する場合、Ｕ字状の釘９０等は使用せず、例えば人工芝ユニット２００をコンクリートや砕石の地面にそのまま敷設する。例えば接着剤を用いて人工芝ユニット２００をコンクリートの地面に固定してもよい。人工芝ユニット２００は、敷設現場の面積に合わせて複数を敷き詰める。コンクリートや砕石の地面は見た目が無機質であり見栄えが悪いものの、人工芝ユニット２００を敷設すると、見栄えを向上させることができる。
【００５５】
以上、本発明の第２の実施形態に係る人工芝ユニット２００は、敷設場所の広さに合わせて手軽に敷設することができ、運搬が容易である。折り目Ｆの左側の基層２Ｌ、または樹脂層３Ｌがある場合は樹脂層３Ｌと、折り目Ｆの右側の基層２Ｒ、または樹脂層３Ｒがある場合は樹脂層３Ｒとが重なり合うまで折り返しが可能であることにより、人工芝ユニット２００のかさ高が低くなり平面視の占有面積も略半分となる。これにより、敷設現場への運搬が容易となる。また、荷室において占有する面積も低下するので、普通車ワンボックスカー等の従来よりも小型な車両によっても運搬が可能となる。運搬が手軽になることで、家主が自身で人工芝ユニット２００を敷設現場へ搬入することも可能となる。これにより、家主が自身で手軽に、土が露出している地面またはコンクリートや砕石等で覆われている地面の見栄えを向上させることが可能となる。運搬が手軽になることから、例えばホームセンター等の小売店舗において、人工芝ユニット２００を商品として取り扱うことが可能となる。小売店舗において人工芝ユニット２００を販売する際には、人工芝ユニット２００をシュリンクフィルムでラップすることが好ましい。
【００５６】
［その他の形態］
以上、本発明を特定の実施形態によって説明したが、本発明は上記した実施形態に限定されるものではない。
【００５７】
上記第１の実施形態では、Ｕ字状の釘９０は、シート３０Ｌ，３０Ｒの外周部分の重なり合う領域３３Ｌ，３４Ｌ，３３Ｒ，３４Ｒに沿って地面に打設されているが、釘９０の打設箇所は人工芝ユニット１００Ｌ，１００Ｒの継ぎ目に限定されない。釘９０は、人工芝ユニット１００Ｌ，１００Ｒの任意の位置に打設することができ、これにより人工芝ユニット１００Ｌ，１００Ｒの浮かび上がり（ふくれ）を防止することができる。例えば、敷設場所の地面の領域の周縁部では、地面の領域の周縁部に沿って、釘９０を人工芝ユニット１００Ｌ，１００Ｒに打設してもよい。
【００５８】
上記第１の実施形態では、人工芝ユニット１００を真砂土の地面に敷設しているが、人工芝ユニット１００を敷設する場所は地面に限定されない。シート３０を備える人工芝ユニット１００を、砕石やコンクリート等で覆われた地面に敷設してもよい。人工芝ユニット１００の敷設場所への固定方法も、Ｕ字状の釘９０を打設することに限定されず、例えば芝葉１の隙間に適量の砂を入れて、砂を重しとしてもよい。上記第２の実施形態でも同様に、芝葉１の隙間に適量の砂を入れて、砂を重しとしてもよい。
【００５９】
上記第２の実施形態において、人工芝ユニット２００が、第１の実施形態において説明した可撓性を有するシート３０をさらに底面に備えても良い。
【００６０】
上記第１および第２の実施形態において、敷設現場に複数の人工芝ユニット１００を敷き詰める際に、隣り合う人工芝ユニット１００間で芝葉１の色や種類等を異ならせてもよい。例えば、芝葉１の色が異なる２種類の人工芝ユニット１００を用いて、隣り合う人工芝ユニット１００間で芝葉１の色（例えば、濃い緑色と薄い緑色）が異なるように、例えば市松模様（チェッカーボード・パターン）に複数の人工芝ユニット１００を敷き詰めてもよい。芝葉１の色に代えて、隣り合う人工芝ユニット１００間で芝葉１の種類（例えば、ロングパイル型とショートパイル型）を異ならせてもよい。
【符号の説明】
【００６１】
１（１Ｌ，１Ｒ）     芝葉
２（２Ｌ，２Ｒ）     基層
３（３Ｌ，３Ｒ）     樹脂層
１０，２０    人工芝
１１，２１    人工芝の端縁
３０（３１，３２）   可撓性を有するシート
３３，３４    人工芝が配置されていないシートの領域
４０   貫通孔
９０   Ｕ字状の釘（ステープル）
１００，２００       人工芝ユニット
Ｆ     折り目
ＧＡ   隙間
ＧＮＤ 地面
【図１】
2019090236.tif 000003
【図２】
2019090236.tif 000004
【図３】
2019090236.tif 000005
【図４】
2019090236.tif 000006
【図５】
2019090236.tif 000007
【図６】
2019090236.tif 000008